(57)【要約】【課題】タンデム式プリンタにおいて必要となるカラーレジストレーション調整の操作を効率よく、簡便に行うことのできるプリンタを提供する。【解決手段】いわゆるタンデム式プリンタが、各色の印刷位置のずれをチェックするためのカラーレジストレーションシートの出力を指示するための出力メニューと、各色の印刷位置を調整するカラーレジストレーション調整の操作のための調整メニューをユーザに表示すると共に、出力メニュー及び調整メニューに対するユーザの指示を受け取る操作手段と、カラーレジストレーションシートの出力を実行する出力手段と、操作手段が出力メニューに対するユーザのカラーレジストレーションシートを出力する旨の指示を受け取った際に、出力手段にカラーレジストレーションシートの出力指示を行い、出力指示の後に、操作手段に調整メニューを表示させる制御手段とを有する。【選択図】  図２
2006103175.tif 000002
【特許請求の範囲】
【請求項１】
各色の印刷処理を並行して行うタンデム式のプリンタであって、
前記各色の印刷位置のずれをチェックするためのカラーレジストレーションシートの出力を指示するための出力メニューと、前記各色の印刷位置を調整するカラーレジストレーション調整の操作のための調整メニューをユーザに表示すると共に、前記出力メニュー及び前記調整メニューに対するユーザの指示を受け取る操作手段と、
前記カラーレジストレーションシートの出力を実行する出力手段と、
前記操作手段が前記出力メニューに対するユーザの前記カラーレジストレーションシートを出力する旨の指示を受け取った際に、前記出力手段に前記カラーレジストレーションシートの出力指示を行い、当該出力指示の後に、前記操作手段に前記調整メニューを表示させる制御手段とを有する
ことを特徴とするプリンタ。
【請求項２】
請求項１において、
前記制御手段は、前記操作手段が前記調整メニューに対するユーザの指示を受け取り、当該指示に従った前記カラーレジストレーション調整が行われた際に、前記出力手段に前記カラーレジストレーションシートの出力指示を行う
ことを特徴とするプリンタ。
【請求項３】
請求項１において、
前記制御手段は、前記操作手段が前記調整メニューに対するユーザの指示を受け取った際に、当該ユーザの指示が前記カラーレジストレーション調整に係る設定を変更するものであるか否かをチェックし、前記設定を変更するものである場合には、前記ユーザの指示に従った前記カラーレジストレーション調整が行われた際に、前記出力手段に前記カラーレジストレーションシートの出力指示を行い、前記設定を変更するものでない場合には、前記出力指示を行わずに設定が変更されていない旨を前記操作手段に表示させる
ことを特徴とするプリンタ。
【請求項４】
請求項１において、
前記制御手段は、前記操作手段が前記調整メニューに対するユーザの指示を受け取った際に、前記カラーレジストレーションシートの出力を行うか否かの指示を促すメッセージを前記操作手段に表示させ、当該表示に応答してユーザが前記カラーレジストレーションシートの出力を指示した場合には、前記出力手段に前記カラーレジストレーションシートの出力指示を行い、前記表示に応答してユーザが前記カラーレジストレーションシートの出力を行わない指示をした場合には、前記出力指示を行わない
ことを特徴とするプリンタ。
【発明の詳細な説明】
【技術分野】
【０００１】
本発明は、いわゆるタンデム式のプリンタに関し、特に、タンデム式プリンタにおいて必要なカラーレジストレーション調整の操作を容易に行うことのできるプリンタに関する。
【背景技術】
【０００２】
ページ単位で印刷処理を実行するいわゆるページプリンタには、画像データに基づいて印刷媒体に印刷を行う印刷処理を色毎に並行して行う、いわゆるタンデム式の装置がある。かかるタンデム式のプリンタでは、蓄積した画像データを読み出して解凍などの各処理を
施す回路等が色数分用意され、色毎に独立して処理が実行される。例えば、ＣＭＹＫの４色による印刷の場合には、４式の回路が各色のデータについて処理を並行して行う。処理後のデータは印刷エンジンに送られるが、印刷エンジン側にも４色分の各印字部が用意され、それらが同期を取りながら、それぞれ、前記データに基づいて一つの印刷媒体や中間媒体への印字処理を行う。
【０００３】
かかるタンデム式のプリンタでは、上述のように、各色の印字部が同期をとりながら一つの印刷媒体等に対して印字処理を行い、印字位置が色毎にずれないように制御される。そして、この色毎のずれをチェックし、ずれた場合にはそれを調整するということが適宜行われている。このタンデム式プリンタにおける各色の位置合わせのための調整のことを、一般に、カラーレジストレーション調整と呼んでいる。かかるカラーレジストレーション調整は、いくつかの方法でなされ得るが、例えば、エンジンに送る画像データのエンジンへの出力タイミングを色毎にずらすことによって行うこともできる。
【０００４】
また、このカラーレジストレーション調整は、通常、人手を介して行われ、具体的には、カラーレジストレーションシートなるものの出力、当該シートにおける視覚的なチェック、及びそのチェック結果に基づく調整操作という手順で行われる。
【０００５】
より具体的には、下記非特許文献１にも記載されているように、まず、ユーザが、プリンタの操作パネルなどにおいて、カラーレジストレーションシート出力のためのメニューを選択して出力指示を行う。それに応答して、プリンタは、カラーレジストレーションシートを生成して出力する。出力されたカラーレジストレーションシートには、各色のカラーレジストレーション調整に係る現在の設定値における、所定の基準色（例えば、黒）との位置ずれが視覚的にわかるように表現されると共に、位置がずれないようにするための上記設定値の値も読み取れるようになっている。
【０００６】
したがって、ユーザは、このカラーレジストレーションシートから各色がずれているか否かをチェックし、ずれている色のついては設定値をいくつにすればよいかを読み取る。その後、ユーザは、カラーレジストレーション調整のためのメニューを選択して、調整が必要な色について上記読み取った値に設定値を変更する。当該変更操作に従って、プリンタはカラーレジストレーション調整に係る設定の変更を行う。ユーザが調整の結果を確認したい場合には、再度、カラーレジストレーションシートの出力指示を行いシート上でずれていないことを確認する。
【非特許文献１】２００３年９月発売のＥＰＳＯＮ・ＡＬＣ４１００プリンタに同梱されたドライバＣＤ−ＲＯＭに格納されたマニュアル、  「Ｃｈｅｃｋｉｎｇ  ｃｏｌｏｒ  ｒｅｇｉｓｔｒａｔｉｏｎ」の欄
【発明の開示】
【発明が解決しようとする課題】
【０００７】
以上説明したように、従来のタンデム式プリンタにおけるカラーレジストレーション調整では、通常、ユーザによって、カラーレジストレーションシートの出力操作、シート上でのチェック、カラーレジストレーション調整メニューでの変更操作、及び確認のための再度のカラーレジストレーションシートの出力操作等が行われることになる。
【０００８】
従って、ユーザは、１回の調整において、操作パネル等に表示される複数のメニューの中からカラーレジストレーションシートの出力メニュー、カラーレジストレーション調整メニューを複数回探し出して選択するという操作を行わなくてはならならず、調整操作はあまり容易なものではなかった。特に、近年のプリンタにおいては、多機能化が進むと共に使用の仕方の自由度が高くなってきていることから、ユーザが操作、設定できる項目が大変多くなっており、それに伴い、操作パネルに表示されるメニューも階層化されているので、前記調整作業におけるメニュー選択の操作は煩わしいものであった。
【０００９】
そこで、本発明の目的は、タンデム式プリンタにおいて必要となるカラーレジストレーション調整の操作を効率よく、簡便に行うことのできるプリンタを提供することである。
【課題を解決するための手段】
【００１０】
上記の目的を達成するために、本発明の一つの側面は、各色の印刷処理を並行して行うタンデム式のプリンタが、前記各色の印刷位置のずれをチェックするためのカラーレジストレーションシートの出力を指示するための出力メニューと、前記各色の印刷位置を調整するカラーレジストレーション調整の操作のための調整メニューをユーザに表示すると共に、前記出力メニュー及び前記調整メニューに対するユーザの指示を受け取る操作手段と、前記カラーレジストレーションシートの出力を実行する出力手段と、前記操作手段が前記出力メニューに対するユーザの前記カラーレジストレーションシートを出力する旨の指示を受け取った際に、前記出力手段に前記カラーレジストレーションシートの出力指示を行い、当該出力指示の後に、前記操作手段に前記調整メニューを表示させる制御手段とを有することである。従って、本発明によれば、ユーザがカラーレジストレーションシートの出力を行った際に、自動的にカラーレジストレーション調整メニューが表示され、何れかの色についてカラーレジストレーションの調整が必要な場合に、複数ある操作メニューの中からカラーレジストレーション調整メニューを探し出して選択する必要がない。よって、タンデム式プリンタにおけるカラーレジストレーション調整の操作を、従来よりも効率よく簡便に行うことが可能となる。
【００１１】
更に、上記の発明において、その好ましい態様は、前記制御手段が、前記操作手段が前記調整メニューに対するユーザの指示を受け取り、当該指示に従った前記カラーレジストレーション調整が行われた際に、前記出力手段に前記カラーレジストレーションシートの出力指示を行うことを特徴とする。
【００１２】
また、上記の発明において、別の態様は、前記制御手段が、前記操作手段が前記調整メニューに対するユーザの指示を受け取った際に、当該ユーザの指示が前記カラーレジストレーション調整に係る設定を変更するものであるか否かをチェックし、前記設定を変更するものである場合には、前記ユーザの指示に従った前記カラーレジストレーション調整が行われた際に、前記出力手段に前記カラーレジストレーションシートの出力指示を行い、前記設定を変更するものでない場合には、前記出力指示を行わずに設定が変更されていない旨を前記操作手段に表示させることを特徴とする。
【００１３】
更にまた、上記の発明において、別の態様は、前記制御手段が、前記操作手段が前記調整メニューに対するユーザの指示を受け取った際に、前記カラーレジストレーションシートの出力を行うか否かの指示を促すメッセージを前記操作手段に表示させ、当該表示に応答してユーザが前記カラーレジストレーションシートの出力を指示した場合には、前記出力手段に前記カラーレジストレーションシートの出力指示を行い、前記表示に応答してユーザが前記カラーレジストレーションシートの出力を行わない指示をした場合には、前記出力指示を行わないことを特徴とする。
【００１４】
本発明の更なる目的及び、特徴は、以下に説明する発明の実施の形態から明らかになる。
【発明を実施するための最良の形態】
【００１５】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１６】
図１は、本発明を適用したプリンタの実施の形態例に係る構成図である。図１に示すプリンタ２が、本実施の形態例に係るプリンタであり、ユーザがカラーレジストレーションシートの出力を指示すると、操作部５等にカラーレジストレーション調整用のメニューを自動的に表示するなどして、カラーレジストレーション調整操作を効率よく行えるようにしようとするものである。
【００１７】
図１に示すホストコンピュータ１は、プリンタ２に対して印刷要求を行なうホスト装置であり、ユーザ操作等に基づいて印刷対象の印刷データをプリンタ２に送信する。なお、ホストコンピュータ１は、所謂パーソナルコンピュータなどで構成することができる。図示していないが、ホストコンピュータ１内には、印刷要求元であるアプリケーションと、アプリケーションからの印刷要求に基づいてプリンタ２に送信する上記印刷データを生成するプリンタドライバが備えられる。
【００１８】
プリンタ２は、前記ホストコンピュータ１から送信される印刷データを受信して、ページ単位で印刷を実行するいわゆるタンデム式のプリンタであり、図１に示すように、コントローラ３、エンジン４、及び操作部５が備えられている。コントローラ３には、Ｉ／Ｆ３１、ＣＰＵ３２、ＲＯＭ３３、ＲＡＭ３４、及びエンジンＩ／Ｆ３５が備えられる。
【００１９】
Ｉ／Ｆ３１は、ホストコンピュータ１から送信される前記印刷データを受信する部分であり、ＲＯＭ３３は、プリンタ２を制御するための各種プログラムを記憶する部分である。ＲＡＭ３４は、前記受信した印刷データ等を格納するメモリであり、エンジン４で印刷処理が行われる各ページの画像データは、ここから色毎に各エンジンＩ／Ｆ３５Ａ〜３５Ｄに引き渡される。
【００２０】
ＣＰＵ３２は、本プリンタ２において行われる各種処理を制御する部分であるが、特に、ユーザとのインターフェースを形成する操作部５を制御する処理、カラーレジストレーションシート６を出力させる処理、及びカラーレジストレーション調整の結果を反映させる処理を司る。本プリンタ２では、ユーザがカラーレジストレーションシートの出力、及びカラーレジストレーション調整の操作を行う際の処理内容に特徴あり、その具体的な内容については後述する。なお、ＣＰＵ３２が実行する処理は、主に前記ＲＯＭ３３に記憶されたプログラムに従って行われるものである。
【００２１】
次に、エンジンＩ／Ｆ３５は、エンジン４で印刷を実行する際に、所定のタイミングで前述したＲＡＭ３４に格納されている画素データを読み出し、それらに所定の処理を施した後にエンジン４へ引き渡す、コントローラ３とエンジン４とのインターフェースを司る部分である。このエンジンＩ／Ｆ３５は、図１に示すように、４式設けられ（３５Ａ〜３５Ｄ）、それらが並行して処理を実行できる構成となっており、各エンジンＩ／Ｆ３５で処理されたデータは、それぞれ、同期の取れたタイミングで対応する各印字部４１へ出力される。そして、本プリンタ２では、ＣＭＹＫ４色の各色の処理がそれぞれ各エンジンＩ／Ｆ３５Ａ〜３５Ｄのいずれかに割り当てられている。
【００２２】
以上説明したコントローラ３の各部は、図１に示すように、相互にデータ授受可能に接続されている。
【００２３】
次に、エンジン４は、エンジンＩ／Ｆ３５から出力されたデータに基づく印字処理を実行し、紙などの印刷媒体に対する画像形成を行う部分である。かかるエンジン４には、前記４式のエンジンＩ／Ｆ３５Ａ〜３５Ｄに対応する４式の印字部４１Ａ〜４１Ｄ、各印字部４１のトナー像を印刷媒体に転写する転写ユニット、印刷媒体の供給、排出を行う搬送ユニット等が備えられる。また、各印字部４１は、感光ドラム、帯電ユニット、露光ユニット、現像装置等で構成され、現像装置には、現像材であるトナーを収容するトナーカートリッジが脱着可能に装着される。なお、転写ユニットを設けずに、各印字部４１から直接印刷媒体に転写する構成としてもよい。
【００２４】
かかる印字部４１Ａ〜４１Ｄのそれぞれから転写ユニットに各色のトナー像を転写する際に、その各色の転写位置がずれないようにカラーレジストレーション調整がなされる。そして、このカラーレジストレーション調整のために必要なカラーレジストレーションシートの生成、出力もこのエンジン４によってなされる。
【００２５】
また、操作部５は、ユーザがプリンタ２を操作するための部分であり、表示パネルや各種操作ボタン等で構成される。当該操作部５では、プリンタ２における印刷条件の設定など各種の操作が可能であり、カラーレジストレーションシートの出力メニュー及びカラーレジストレーション調整メニューも用意されている。
【００２６】
以上説明したような構成を有する本実施の形態例に係るプリンタ２では、ホストコンピュータ１からの印刷要求があった場合など、通常の印刷処理を実行する場合には、従来と同様に処理が行われるが、ユーザがカラーレジストレーションシート出力及びカラーレジストレーション調整を行う際の処理に特徴を有し、以下、かかる処理内容について具体的に説明する。
【００２７】
図２は、ユーザがカラーレジストレーション調整を行う際のＣＰＵ３２の処理内容について例示したフローチャートである。通常、ユーザは、プリンタ２を新規に購入した際、しばらく使用していなかった場合、あるいは電源を投入した際などに、各色のずれがないかをチェックするためにカラーレジストレーションシート６の出力を要求する。具体的には、操作部５の操作ボタンを操作して、表示パネルに表示される複数のメニューの中からカラーレジストレーションシート出力メニューを選択し、出力指示の操作を行う。
【００２８】
かかる操作がなされると、ＣＰＵ３２は、操作部５からカラーレジストレーションシート６の出力指示を受け取り（ステップＳ１）、エンジン４に対してカラーレジストレーションシート６の印刷実行を指示する（ステップＳ２）。その後、ＣＰＵ３２は、操作部５に対してカラーレジストレーション調整メニューを表示パネルに表示するように指示する（ステップＳ３）。カラーレジストレーション調整メニューとは、位置ずれが発生している色についてカラーレジストレーション調整に係る設定値を変更するための操作用メニューであり、本プリンタ２では、ＣＰＵ３２が前記カラーレジストレーションシート６の出力を指示した後に直ぐにこのカラーレジストレーション調整メニューが、操作部５に表示されることになる。すなわち、ユーザにとっては、前述したカラーレジストレーションシート６の出力操作を行うと、自動的にカラーレジストレーション調整メニューが表示されることになる。この点が、本プリンタ２の大きな特徴である。
【００２９】
一方、カラーレジストレーションシート６の出力指示を受けたエンジン４は、カラーレジストレーションシート６を生成して出力する。そして、ユーザは、出力されたカラーレジストレーションシート６を見て、各色の位置ずれがあるか否かをチェックする。カラーレジストレーションシート６には、従来のように、基準とするＫの色に対するＣＭＹ各色の印字位置が視覚的に把握できるように表現されており、ユーザは、ここから各色の位置ずれがあるか否か、また、ずれている場合には前記設定値をいくつにすればよいかを把握することができる。
【００３０】
かかるユーザによるチェックの結果、各色とも位置ずれがなく、調整（設定値の変更）の必要がない場合には、ユーザは、前記ステップＳ３に基づいて表示されているカラーレジストレーション調整メニューを終了するための操作を行う。これにより（ステップＳ４のＹｅｓ）、一連のカラーレジストレーション調整処理が終了する。
【００３１】
一方、ユーザによるチェックの結果、位置がずれている色がある場合には、ユーザは、前記表示されているカラーレジストレーション調整メニューを終了せずに（ステップＳ４のＮｏ）、当該メニューから、位置がずれている色について、それぞれ、設定値の変更操作を行う。具体的には、前記出力されたカラーレジストレーションシート６から読み取れる位置が一致するであろう設定値に、現在設定されている値から変更する。
【００３２】
かかる設定変更の操作を受けて（ステップＳ５）、ＣＰＵ３２は、設定変更の指示を行う（ステップＳ６）。具体的には、例えば、印刷実行時にコントローラ３からエンジン４に画像データ（ビデオデータ）を出力するタイミングを、設定変更の操作があった色について、入力された新たな設定値に応じて変更するように指示する。
【００３３】
この設定変更の指示後、ＣＰＵ３２は、再び、カラーレジストレーションシート６の印刷実行をエンジン４に対して指示する（ステップＳ２）。当該指示に従って、エンジン４は、前述した設定変更が反映された状態でカラーレジストレーションシート６を生成、出力する。以降、前述の通り、ＣＰＵ３２は、カラーレジストレーション調整メニューを表示させ、一方、ユーザは、出力されたカラーレジストレーションシート６で位置ずれが解消したかを確認する。
【００３４】
そして、位置ずれがなくなっていれば、カラーレジストレーション調整メニューを終了させて、一連の調整処理が終了し（ステップＳ４のＹｅｓ〜ＥＮＤ）、未だ、位置ずれが解消されていない場合には（ステップＳ４のＮｏ）、前述したステップＳ５からの処理を、位置ずれが解消されるまで繰り返し行う。
【００３５】
このように、本実施の形態例に係るプリンタ２では、ユーザがカラーレジストレーションシート６の出力を行った際に、自動的にカラーレジストレーション調整メニューが操作部５に表示され、何れかの色についてカラーレジストレーションの調整が必要な場合に、複数ある操作メニューの中からカラーレジストレーション調整メニューを探し出して選択する必要がない。また、ユーザがこのカラーレジストレーション調整メニューで調整を行った後、自動的にカラーレジストレーションシート６が出力され、調整結果を確認するために従来行っていた、カラーレジストレーションシート６を出力させるメニューを探し出して操作するという手順を省くことができる。従って、タンデム式プリンタにおけるカラーレジストレーション調整の操作を、従来よりも効率よく簡便に行うことが可能となる。
【００３６】
なお、ユーザがカラーレジストレーション調整の操作から開始する場合には、図２におけるステップＳ３から処理が行われ、以降は同様に処理が行われることになる。
【００３７】
次に、図３は、前記実施の形態例の一つの変形例に係るカラーレジストレーション調整処理を例示したフローチャートである。ユーザが前述したようなカラーレジストレーション調整メニューによる設定値の変更を行う場合に、操作ミスをしてしまって、ユーザ本人は設定値を変更したつもりであっても実際には変更されていないような事態が発生することもある。当該変形例は、かかるミスが発生した場合に、無駄にカラーレジストレーションシート６を出力してしまうことを防止するためのものである。
【００３８】
従って、本変形例では、ユーザによって設定変更の操作が行われた際に、本当に設定値が変更されたかをＣＰＵ３２がチェックする処理が加えられている。図３に示すステップＳ５までの処理は、図２に基づいて説明した例と同様に処理が行われる。その後、設定変更の指示を受けたＣＰＵ３２は、今回の設定変更操作が行われる前の設定値と当該操作後の設定値を比較して相異があるか否かをチェックする（ステップＳ７）。
【００３９】
その結果、相異がなければ、すなわち、設定値が変更されていなければ（ステップＳ７のＮｏ）、設定値の変更がなされていない旨のメッセージを表示するように操作部５に指示する（ステップＳ９）。その指示によって、当該メッセージが表示されると、ユーザは、その内容を了解した旨の操作を行い、それを受けて、ＣＰＵ３２は、再びカラーレジストレーション調整メニューを表示させる（ステップＳ３）。その後は、ユーザによる再度の設定変更操作が行われる。
【００４０】
一方、ステップＳ７のチェックで変更が行われていれば（ステップＳ７のＹｅｓ）、図２の場合と同様に、設定変更（ステップＳ８）、カラーレジストレーションシート６の印刷実行（ステップＳ２）が行われる。
【００４１】
このように、本変形例では、ユーザによる設定変更操作後に実際に変更されているかが自動的に確認され、変更されていない場合にはカラーレジストレーションシート６が出力されずに、変更されていない旨がユーザに知らされる。従って、無駄にカラーレジストレーションシート６を出力してしまうことを防ぐことができると共に、よりユーザフレンドリーなインターフェースを提供することができる。
【００４２】
次に、図４は、更に別の変形例に係るカラーレジストレーション調整処理を例示したフローチャートである。かかる変形例は、カラーレジストレーション調整メニューで設定値の変更操作を行った後に、再度カラーレジストレーションシート６を出力して確認することをしない場合も考えられるので、このような場合にも対応できるようにしたものである。
【００４３】
図４に示すステップＳ６までの処理は、図２に基づいて説明した例と同様に処理が行われる。その後、設定変更を指示したＣＰＵ３２は、カラーレジストレーションシート６の出力を行うか否かをユーザに確認するためのメッセージを表示するように操作部５に指示する（ステップＳ１０）。この指示に基づいて、かかるメッセージが表示されると、ユーザは、所定の操作により、カラーレジストレーションシート６を出力するか否かを指示する。
【００４４】
かかるユーザの指示がカラーレジストレーションシート６の印刷実行を指示するものである場合には（ステップＳ１１のＹｅｓ）、ＣＰＵ３２は、エンジン４に印刷実行を指示し（ステップＳ２）、それ以降、処理が継続する。一方、カラーレジストレーションシート６の印刷実行を行わない旨の指示である場合には（ステップＳ１１のＮｏ）、今回の一連の処理が終了する。
【００４５】
このように、この変形例においては、カラーレジストレーション調整メニューにおける設定の変更操作が行われた場合に、ユーザの意思を確認してからカラーレジストレーションシート６の出力を行う。従って、出力を必要としていない場合にもカラーレジストレーションシート６を印刷してしまう無駄をなくすことができ、よりきめ細かいユーザインターフェースを提供することができる。
【００４６】
なお、以上説明した実施の形態例及びその変形例においては、カラーレジストレーションシート６の出力及びカラーレジストレーション調整をプリンタ２側の操作部５を用いて行ったが、プリンタ２に印刷要求を行うホストコンピュータ１側から行うようにしても良い。かかる場合には、ホストコンピュータ１がカラーレジストレーション調整用のアプリケーションを備え、かかるアプリケーションがユーザへの操作メニューの表示や操作結果のプリンタ２への送信等の機能を司る。そして、ホストコンピュータ１が備えるディスプレイなどの表示装置とキーボードなどの操作装置が、操作部５の表示パネルと操作ボタンに置き換わることになる。なお、上記アプリケーションは、上記機能を実行するための各処理を指示するプログラムと当該プログラムに従って処理を実行する制御装置によって構成される。
【００４７】
本発明の保護範囲は、上記の実施の形態に限定されず、特許請求の範囲に記載された発明とその均等物に及ぶものである。
【図面の簡単な説明】
【００４８】
【図１】本発明を適用したプリンタの実施の形態例に係る構成図である。
【図２】カラーレジストレーション調整の処理について示したフローチャートである。
【図３】一つの変形例のカラーレジストレーション調整を示したフローチャートである。
【図４】別の変形例のカラーレジストレーション調整を示したフローチャートである。
【符号の説明】
【００４９】
１  ホストコンピュータ、  ２  プリンタ、  ３  コントローラ、  ４  エンジン（出力手段）、  ５  操作部（操作手段）、  ６  カラーレジストレーションシート、  ３１  Ｉ／Ｆ、  ３２  ＣＰＵ（制御手段）、  ３３  ＲＯＭ、  ３４  ＲＡＭ、  ３５  エンジンＩ／Ｆ、  ４１  印字部
【図１】
2006103175.tif 000003
【図２】
2006103175.tif 000004
【図３】
2006103175.tif 000005
【図４】
2006103175.tif 000006